(57)【要約】【課題】鉄塔上の作業における工事記録写真を１人の作業員で撮影することを実現した工事記録用黒板装置を提供する。【解決手段】工事記録用黒板装置１は、鉄塔１００上において行われ、送電線１１０にジャンパスリーブ１４０を取り付ける工事の内容を記入する黒板１０と、黒板１０に設けられ、ジャンパスリーブ１４０を固定するスリーブ固定部１２と、スリーブ固定部１２にジャンパスリーブ１４０を固定した場合に、ジャンパスリーブ１４０の長さ方向に沿うように黒板１０に配置されるメジャー１４と、黒板１０をつり下げるように、鉄塔１００における所定位置に取り付ける取付部１６とを備える。【選択図】図１
2012016891.tif 000002
【特許請求の範囲】
【請求項１】
鉄塔上において行われ、電線にスリーブを取り付ける工事の内容を記入する黒板と、
当該黒板に設けられ、前記スリーブを固定するスリーブ固定部と、
当該スリーブ固定部に前記スリーブを固定した場合に、前記スリーブの長さ方向に沿うように前記黒板に配置されるメジャーと、
前記黒板をつり下げるように、鉄塔における所定位置に取り付ける取付部とを備えたことを特徴とする工事記録用黒板装置。
【請求項２】
前記スリーブ固定部は、前記スリーブを把持する把持部と、前記スリーブの太さに応じて前記把持部の幅を可変する可変部とを有することを特徴とする請求項１記載の工事記録用黒板装置。
【請求項３】
前記取付部は、前記黒板の上下位置を調整する伸縮部と、前記黒板の角度を調整する回転部とを備えたことを特徴とする請求項１又は２記載の工事記録用黒板装置。
【請求項４】
前記取付部は、鉄塔の骨組み又は電線に取り付けられることを特徴とする請求項１乃至３のいずれか１項記載の工事記録用黒板装置。
【発明の詳細な説明】
【技術分野】
【０００１】
本発明は、鉄塔関連の工事記録写真撮影に用いる工事記録用黒板装置に関する。
【背景技術】
【０００２】
従来より、工事記録を写真で残すために、工事記録写真の撮影を行っている。特に、公共工事においては、関係工事業者に工事記録写真の提出を義務付けている自治体もある。このような自治体においては、自治体毎に工事記録写真撮影基準が設けられており、作業者は、この基準に基づいて工事記録写真を撮影する必要がある。
【０００３】
ところで、鉄塔上における作業、例えば、ジャンパスリーブ圧縮作業や補修スリーブ圧縮作業等も、工事記録写真を撮影する必要がある。ジャンパスリーブ圧縮作業は、碍子を介して鉄塔に取り付けられた一対の送電線から分岐したジャンパ線同士をジャンパスリーブに挿入し、ジャンパスリーブを圧縮することで両者を接続する作業である。補修スリーブ圧縮作業は、電線において傷みのある部分に補修スリーブを取り付けて補修スリーブを圧縮する作業である。工事記録写真の撮影の際には、このような圧縮作業を行った後に、スリーブの近傍に、工事件名や工事の種別等の各種項目を記入した黒板、及びスリーブの長さの目安となるメジャーを配置してから、作業者が工事記録写真の撮影を行う。
【０００４】
また、従来におけるこの種の技術としては、特許文献１及び２に記載された技術がある。特許文献１には、工事用黒板の裏面にフックを設け、足場パイプや鉄筋等に掛けて使用することが示されている。特許文献２には、黒板に寸法測定用のメジャー及びカーソルを装着することが示されている。
【先行技術文献】
【特許文献】
【０００５】
【特許文献１】特開２００３−５４１８８号公報
【特許文献２】実用新案登録第３１１３３２７号公報
【発明の概要】
【発明が解決しようとする課題】
【０００６】
ところで、鉄塔上でのジャンパースリープ圧縮作業や補修スリーブ圧縮作業等の作業時の工事記録写真の撮影は、作業員１名が黒板、スケール及びスリーブ等を両手で持って、黒板の位置調整をしながら、もう１人の作業員がカメラを操作することによって行われる。
【０００７】
このため、工事記録写真撮影は、必ず２人いなければできない作業であり、また、鉄塔上という、限られた作業スペースであることから、１人の作業員の作業スペースはさらに限られ、作業が行いにくくなる。さらに、黒板を持つ作業員は両手ともふさがっているため、黒板に文字を記入する際には、黒板を持つ作業員が黒板をいったん持ち上げて、もう１人の作業員が文字を書きやすい位置に黒板を支持し、もう１人の作業員が文字を書く等、黒板に文字を記入する作業に手間がかかっている。
【０００８】
また、特許文献１の技術によれば、工事用黒板を足場パイプや鉄筋等に掛けて使用できるため、黒板を持つ手間は省略できる。また、特許文献２の技術によれば、メジャーを持つための作業員が必要なくなる。しかしながら、スリーブを黒板近傍に位置付けるための作業員が必要となるため、結局、２人の作業員が必要となり、その分、人件費が高くなる。
【０００９】
本発明は、このような問題点を解決し、鉄塔上の作業における工事記録写真を１人の作業員で撮影することを実現した工事記録用黒板装置を提供すること目的とする。
【課題を解決するための手段】
【００１０】
本発明は、前記目的を達成するため、次に記載する構成を備えている。
【００１１】
（１）  鉄塔上において行われ、電線にスリーブを取り付ける工事の内容を記入する黒板と、当該黒板に設けられ、前記スリーブを固定するスリーブ固定部と、当該スリーブ固定部に前記スリーブを固定した場合に、前記スリーブの長さ方向に沿うように前記黒板に配置されるメジャーと、前記黒板をつり下げるように、鉄塔における所定位置に取り付ける取付部とを備えたことを特徴とする工事記録用黒板装置。
【００１２】
（１）によれば、工事の内容を記入した黒板にスリーブを固定し、さらに、所定位置に黒板を取り付けることによって、スリーブの周囲に黒板とメジャーとを配置した構図ができあがる。これにより、黒板を持つための人員を削減できるために、１人の作業員で工事記録写真撮影を行うことが可能になる。
【００１３】
（２）  （１）において、前記スリーブ固定部は、前記スリーブを把持する把持部と、前記スリーブの太さに応じて前記把持部の幅を可変する可変部とを有することを特徴とする工事記録用黒板装置。
【００１４】
（２）によれば、スリーブの太さに応じて把持部の幅を可変することにより、黒板にスリーブを確実に固定することが可能になる。これにより、作業員がスリーブを持つ必要がなくなり、工事記録写真撮影における人員を削減することが可能になる。
【００１５】
（３）  （１）、（２）において、前記取付部は、前記黒板の上下位置を調整する伸縮部と、前記黒板の角度を調整する回転部とを備えたことを特徴とする工事記録用黒板装置。
【００１６】
（３）によれば、黒板が所望の高さになるように、黒板の上下位置を調整することができる。さらに、太陽光によって黒板面が光らないように角度調整ができる。このため、工事記録写真を撮影する際の被写体の構図を調整することが可能になり、黒板の記入内容やメジャーが確実に映し出されている工事記録写真を撮影することが可能になる。
【００１７】
（４）  （１）〜（３）において、前記取付部は、鉄塔の骨組み又は電線に取り付けられることを特徴とする工事記録用黒板装置。
【００１８】
（４）によれば、スリーブをスリーブ固定部に固定し、さらに取付部を鉄塔の骨組み又は電線に取り付けることにより、作業者が黒板から手を離しても、鉄塔の骨組み又は電線に黒板がつり下げた状態で維持することが可能になる。これにより、１人の作業者によって、黒板への書き込みが容易に可能となり、鉄塔上における工事記録写真の撮影作業を行うことが可能になる。
【発明の効果】
【００１９】
本発明によれば、工事記録写真撮影を１人の作業員で行うことが可能になる。
【図面の簡単な説明】
【００２０】
【図１】本発明の一実施形態における工事記録用黒板装置の概略構成を示す説明図である。
【図２】黒板及びその周辺の概略構成を示す説明図である。
【図３】スリーブ固定部の構成を示す図である。
【図４】鉄塔の骨組みに取り付ける取付金具の構成を示す図である。
【図５】電線に取り付ける取付金具の構成を示す図である。
【発明を実施するための形態】
【００２１】
以下、本発明の実施形態について、図面を参照しながら詳細に説明する。
【００２２】
図１は、本発明の一実施形態における工事記録用黒板装置の概略構成を示す説明図である。工事記録用黒板装置１は、矩形の黒板１０と、スリーブ固定部１２と、メジャー１４と、取付部１６とを備えている。
【００２３】
黒板１０は、木製の板材の板面に、黒色あるいは緑色の塗料が塗布されたものであり、板面に、チョークによって文字を書くことができる。また、布等によって表面を拭き取ることによって、チョークによって書かれた文字を消したりすることが可能である。また、黒板１０には、例えば、白色塗料によって、工事の内容に関する記入項目のフォーマットが描かれている。また、黒板１０の板面における下部には、スリーブ固定部１２が配設されており、スリーブ固定部１２の下部近傍にメジャー１４が配設されている。また、黒板１０の両側部には、取付部１６が設けられている。
【００２４】
スリーブ固定部１２は、工事によって電線に取り付けられたスリーブを着脱自在に固定するものであり、黒板１０の下部に２つ設けられている。図１に示すスリーブ固定部１２、１２は、ジャンパスリーブ圧縮作業によってジャンパ線１３０同士を接続したジャンパスリーブ１４０の両端部を固定している。
【００２５】
ここで、ジャンパスリーブ圧縮作業について説明する。図１において、鉄塔１００には、一端が、鉄塔１００の両側に隣り合う２つの鉄塔（図示しない）に接続された各送電線１１０の他端が、碍子１２０を介して互いに対向するように取り付けられている。また、各送電線１１０の他端部からは、ジャンパ線１３０が分岐している。そして、作業員は、鉄塔１００上において、ジャンパスリーブ圧縮作業を行い、鉄塔１００に接続されている２つの送電線１１０の他端部から分岐したジャンパ線１３０同士をジャンパスリーブ１４０によって接続する。これにより、鉄塔１００に架設されている送電線１１０同士が、ジャンパ線１３０によって電気的に接続される。
【００２６】
また、図１において、メジャー１４は、黒板１０におけるスリーブ固定部１２、１２の下方の近傍に配置されており、この時のメジャー１４の長手方向は、スリーブ固定部１２、１２にジャンパスリーブ１４０を固定した場合に、ジャンパスリーブ１４０の長さ方向に沿っている。
【００２７】
図２は、黒板及びその周辺の概略構成を示す説明図であり、図２（ａ）は正面図、図２（ｂ）は側面図である。
【００２８】
取付部１６は、回転部に相当する固定部材２０と、取付部に相当する取付金具２２と、伸縮部に相当する伸縮部材２４とを備えている。固定部材２０は、黒板１０に固定され、伸縮部材２４と黒板１０とを連結するものである。取付金具２２は、鉄塔１００あるいは電線に着脱自在に取り付けられる金具である。伸縮部材２４は、一端部を固定部材２０に連結し、他端部を取付金具２２に連結するものである。そして、ジャンパスリーブ１４０をスリーブ固定部１２に固定し、取付金具２２を鉄塔１００の骨組みあるいは鉄塔１００に支持されている電線に取り付けることにより、黒板１０は、ジャンパスリーブ１４０及びメジャー１４を支持しかつ鉄塔１００の骨組みあるいは電線につり下げられた状態となる。なお、図１は、鉄塔１００に黒板１０がつり下げられた状態を示すものである。
【００２９】
図２に示すように、黒板１０には、各種の記入項目を有するフォーマットが予め描かれている。具体的な項目としては、工事件名、種別、場所、圧縮前のスリーブの長さ、圧縮後のスリーブの長さ、工事の年月日、施工者及び天候といった記入項目がある。
【００３０】
また、伸縮部材２４は、複数のアルミ製のレール２４ａと、締結部品２８とによって構成されている。レール２４ａには、中央部に長手方向に沿った長穴２４ｂが形成されている。また、締結部品２８は、ワッシャ付きのボルトと、このボルトに螺合する蝶ナットとからなる。そして、複数のレール２４ａを、隣り合うレール２４ａの一端部と他端部とを交互に重ね合わせて、長手方向に延びるように一列に配列し、さらに、隣り合うレール２４ａ、２４ａにおいて重なっている長穴２４ｂの一方側からボルトを遊嵌し、他方側からボルトに蝶ナットを螺合することによって、隣り合うレール２４ａの一端部と他端部とが、締結部品２８によって連結される。他の隣り合うレール２４ａの一端部と他端部とが重なっている部分も同様に、締結部品２８を用いて連結される。
【００３１】
ここで、伸縮部材２４の長さ、あるいは部分的に角度を変える場合には、締結部品２８の蝶ナットを緩め、レール２４ａをスライドさせたり回動させることによって、伸縮部材２４の長さや角度を調節してから蝶ナットを締める。これによって、伸縮部材２４の長さや部分的に角度をよって変えることが可能である。
【００３２】
このように構成された伸縮部材２４の一端部には、固定部材２０が連結され、他端部には、取付金具２２（図３、４参照）が連結される。
【００３３】
固定部材２０は、中央にボルト（図示せず）が立設しており、この固定部材２０は、黒板の両側部にボルト（図示せず）の中心軸が一致するように固定される。このとき、ボルト（図示せず）は、黒板１０の両側部から外側に向けて、黒板１０の横方向に平行に延在している。そして、このボルト（図示せず）に、伸縮部材２４の一端部となるレール２４ａの長穴２４ｂを遊嵌させ、締結部品２６（例えば、蝶ナット）によって締結することによって、伸縮部材２４の一端部が固定部材２０を介して黒板１０に取り付けられる。
【００３４】
ここで、黒板１の角度を調整する場合には、締結部品２６を緩め、黒板１０を所望の角度に変えてから締結部品２６を締めることによって、黒板１０の角度を調整することが可能となる。
【００３５】
図３は、スリーブ固定部の構成を示す図であり、図３（ａ）は斜視図であり、図３（ｂ）は側面図である。
【００３６】
スリーブ固定部１２は、フレーム４０と、作動ねじ５０と、把持板５２と、つまみ５４とを備えている。
【００３７】
フレーム４０は、長手方向に延びる平面部４２と、平面部４２の長手方向の両側部から直角に延出する側面部４４、４６とからなるコ字状の部材である。側面部４４の中央部には、ねじ穴４４ａが設けられている。また、側面部４６における側面部４４との対向面には、凹部４６ａが形成されており、この凹部４６ａは、平面部４２の短手方向に平行に形成されている。
【００３８】
作動ねじ５０は、ねじ穴４４ａに螺合する長尺のねじである。作動ねじ５０において側面部４６に対向する一端部には把持板５２が取り付けられている。ここで、作動ねじ５０は、把持板５２に対して独立して回転するように取り付けられている。また、作動ねじ５０において側面部４４から外側に延出する他端部にはつまみ５４が固定されている。
【００３９】
把持板５２における凹部４６ａとの対向面には、凹部５２ａが形成されており、把持板５２が作動ねじ５０の一端部に取り付けられた状態において、側面部４６の凹部４６ａと把持板５２の凹部５２ａとが対向する。ここで、凹部４６ａ及び凹部５２ａは、図３（ｂ）に示すように、スリーブ固定部１２を側面視した場合に、凹部４６ａ及び凹部５２ａの両側面が、底面から開口側に向かって拡がるように形成されている。
【００４０】
また、フレーム４０の平面部４２の中央部には、平面部４２の長手方向に沿って立設した凸部４２ａが形成されている。また、把持板５２の側部には、切欠５２ｂが形成されており、把持板５２が作動ねじ５０の一端部に固定された状態において、切欠５２ｂが凸部４２ａに遊嵌する。
【００４１】
図３（ａ）に示すように構成されたスリーブ固定部１２は、図３（ｂ）に示すように、フレーム４０の平面部４２における凸部４２ａが形成された面の反対面と黒板１０とが密着させた状態で固定されている。具体的には、また、フレーム４０の平面部４２における、凸部４２ａが形成された面の反対面には、ボルト４８、４８が立設している。さらに、黒板１０には、スリーブ固定部１２の取り付け位置に、ボルト４８、４８を挿通するための孔部が設けられている。この孔部にボルト４８、４８を挿通して、ボルト４８、４８に蝶ナット４９、４９を螺合させることにより、黒板１０にスリーブ固定部１２が固定される。
【００４２】
そして、スリーブ固定部１２にジャンパスリーブ１４０を固定する際には、凹部４６ａにジャンパスリーブ１４０を載置し、つまみ５４を操作して作動ねじ５０を回転させ、作動ねじ５０とともに把持板５２をジャンパスリーブ１４０側に移動させる。これにより、側面部４６と把持板５２との幅が狭くなり、ジャンパスリーブ１４０は、フレーム４０の側面部４６と把持板５２との間に把持され、黒板１０にジャンパスリーブ１４０が固定される。このように、作動ねじ５０は可変部に相当し、側面部４６及び把持板５２は把持部に相当する。
【００４３】
なお、スリーブ固定部１２に固定するスリーブの径が若干異なっているとしても、把持板５２と側面部４６との幅が可変自在であるため、スリーブ固定部１２に固定することが可能である。
【００４４】
図４は、鉄塔の骨組みに取り付ける取付金具の構成を示す図であり、図４（ａ）は斜視図であり、図４（ｂ）は側面図である。
【００４５】
図４に示す取付金具２２は、長尺のボルト６０と、垂直フック６２と、水平フック６４と、ナット６６、６８とを備えたＬ字型の金具である。なお、図示していないが、ボルト６０の他端部に、伸縮部材２４の他端部が連結される。
【００４６】
垂直フック６２は、ボルト６０に螺合するねじ穴６２ａが形成されている本体部６２ｂと、本体部６２ｂの一端部から他端部に向かってＪ字状に延出するフック部６２ｃとを備えている。
【００４７】
水平フック６４は、板状の直線部６４ａと、この直線部６４ａの片方の端部に形成されたフック部６４ｂとを備えたＪ字状の部材である。直線部６４ａの中央部には、ボルト６０が遊嵌可能な長穴６４ｃが形成されている。
【００４８】
ボルト６０には、下からナット６８、水平フック６４、垂直フック６２、そしてナット６６の順で取り付けられる。
【００４９】
まず、ボルト６０の一端部からナット６８を螺合させ、回転させることによって下方に移動させる。次に、水平フック６４のフック部６４ｂが上側に位置するように長穴６４ｃを遊嵌させて、ボルト６０に水平フック６４を取り付ける。次に、垂直フック６２を、本体部６２ｂの他端側からねじ穴６２ａにボルト６０を螺合させることによって、ボルト６０に取り付ける。そして、本体部６２ｂの他端側から突出したボルト６０の端部にナット６６を取り付けることにより、取付金具２２が構成される。
【００５０】
そして、Ｌ字型の取付金具２２は、図４（ｂ）に示すように、Ｌ字型の鉄塔１００の骨組みにおいて、上下方向の部分には、垂直フック６２のフック部６２ｃを係合させ、水平方向の部分には、水平フック６４を上下左右に移動させてフック部６４ｂを係合させる。そして、ナット６６によって水平フック６４を締結することによって、取付金具２２が鉄塔１００の骨組みに固定される。なお、取付金具２２を鉄塔１００の骨組みから取り外す場合には、ナット６６を緩めることによって取付金具２２の取り外しが可能になる。
【００５１】
図５は、送電線に取り付ける取付金具の構成及び取り付け状態を示す図であり、図５（ａ）は電線に取り付けた状態を示し、図５（ｂ）は電線に着脱する際の状態を示す。
【００５２】
図５に示す送電線に取り付ける取付金具２２は、２つの半円環部材７０、７２と、ボルト７６と、蝶ナット７８とを備えている。なお、図示していないが、半円環部材７２に、伸縮部材２４の他端部が連結される。
【００５３】
半円環部材７０の中央部には、中央部に半円柱状の凹部７０ａが形成されており、半円環部材７０の中央部には、半円柱状の凹部７２ａが形成されている。半円環部材７０の一端部と半円環部材７２の一端部とは回動軸７４によって互いに回動可能に連結されている。そして、半円環部材７０の他端部と半円環部材７２の他端部とが当接している場合には、図５（ａ）に示すように、凹部７０ａと凹部７２ａとによって円柱状の空間が形成され、この空間内に、鉄塔１００に取り付けられている電線１５０が配置される。
【００５４】
半円環部材７２の他端部には、ボルト７６の他端部が回動軸８０を軸として回動可能に取り付けられている。ここで、回動軸７４と回動軸８０とは互いに平行である。また、図示していないが半円環部材７０の他端部には、ボルト７６が係合する切欠（図示せず）が形成されている。また、ボルト７６には蝶ナット７８が螺合されている。また、半円環部材７２の外周には、伸縮部材２４の他端部と連結する連結部８２が設けられている。
【００５５】
このように構成された取付金具２２を電線１５０に取り付ける場合には、図５（ｂ）に示すように、ボルト７６を回動させて、半円環部材７０の他端部に形成された切欠（図示せず）との係合状態を解除し、半円環部材７２に対して半円環部材７０を開いた状態にする。次に、電線１５０を凹部７２ａに載置してから、半円環部材７０を閉じて、半円環部材７０の他端部と半円環部材７２の他端部とを当接させる。さらに、ボルト７６を回動させて、半円環部材７０の他端部に形成された切欠（図示せず）に係合させ、蝶ナット７８を締結することによって、半円環部材７０の他端部と半円環部材７２の他端部とを連結させる。これにより、取付金具２２が電線１５０に固定される。なお、取付金具２２を電線１５０から取り外す場合には、ねじ７６を緩めることによって取付金具２２の取り外しが可能になる。
【００５６】
次に、工事記録写真撮影を行うまでの手順について説明する。本実施形態においては、ジャンパスリーブ圧縮作業における工事記録写真撮影を例として説明する。まず、電線へのスリーブの取り付け作業を行う前に、黒板１０における、「圧縮後」の項目を除く各項目に、文字やマルを記入する。ここでは、種別の「ジャンパ」にマルを記入する。なお、電線１５０の接続に使用する直線スリーブの圧縮作業の場合には、種別の「直線」にマルをつける。送電線１１０における傷みのある部分の部分的補修に使用する補修スリーブの圧縮作業の場合には、種別の「補修」にマルをつける。
【００５７】
その後、作業者は、ジャンパスリーブ圧縮作業を行い、ジャンパスリーブ１４０の取り付け作業を終了した後に、ジャンパスリーブ１４０をスリーブ固定部１２に固定する。次に、取付金具２２を、例えば、鉄塔１００の骨組みに固定する作業を行い、黒板１０を、例えば鉄塔１００の骨組みにつり下げる。なお、取付金具２２を鉄塔１００の骨組みに固定してから、黒板１０のスリーブ固定部１２にジャンパスリーブ１４０を固定してもよい。そして、作業者は、「圧縮後」の項目にジャンパスリーブ１４０の長さを記入したのち、黒板１０の角度や上下位置を調整して、黒板１０の内容が見易い状態となるように構図を決定する。構図が決定した後、作業者は、カメラを持って工事記録写真撮影を行う。
【００５８】
以上、説明したように、本実施形態によれば、工事の内容を記入した黒板１０にジャンパスリーブ１４０を固定し、さらに、鉄塔１００の骨組みあるいは電線１５０に取付部１６を介して黒板１０を取り付けることによって、ジャンパスリーブ１４０の周囲に黒板１０とメジャー１４とを配置した構図ができあがる。これにより、黒板１０を持つための人員を削減できるために、１人の作業員で工事記録写真撮影を行うことが可能になる。また、スリーブ固定部１２やメジャー１４が黒板１０に固定されているため、例えば、スリーブの固定作業において、スリーブ固定部１２やメジャー１４を落下させてしまうことが防止できる。
【００５９】
また本実施形態によれば、スリーブ固定部１２の固定するスリーブの太さに応じて、側面部４６と把持板５２との幅を可変することにより、黒板１０にスリーブを確実に固定することが可能になる。これにより、作業員がスリーブを持つ必要がなくなり、工事記録写真撮影における人員を削減することが可能になる。
【００６０】
また本実施形態によれば、取付部１６は、黒板１０の上下位置を調整する伸縮部材２４と、黒板１０の角度を調整する固定部材２０とを備えたことにより、黒板１０が所望の高さになるように、黒板１０の上下位置を調整することができる。さらに、太陽光によって黒板１０の面が光らないように角度調整ができる。このため、工事記録写真を撮影する際の被写体の構図を調整することが可能になり、黒板１０の記入内容やメジャー１４が確実に映し出されている工事記録写真を撮影することが可能になる。
【００６１】
なお、黒板１０として、本実施形態によれば、板に黒色や緑色の塗料を塗布して、チョークによって文字を書いたり消したりすることを可能にした板を用いているが、本発明はそれに限るものではなく、本発明の黒板は、他にも、水性マーカによって文字を書いたり消したりすることが可能なように、表面が滑らかになるようにコーティングしてなる板（例えば、ホワイトボード）も含むものとする。
【符号の説明】
【００６２】
１  工事記録用黒板装置
１０  黒板
１２  スリーブ固定部
１４  メジャー
１６  取付部
２０  固定部材
２２  取付金具
２４  伸縮部材
２４ａ  レール
２４ｂ  長穴
２６、２８  締結部品
１００  鉄塔
１１０  送電線
１２０  碍子
１３０  ジャンパ線
１４０  ジャンパスリーブ
【図１】
2012016891.tif 000003
【図２】
2012016891.tif 000004
【図３】
2012016891.tif 000005
【図４】
2012016891.tif 000006
【図５】
2012016891.tif 000007